(57)【要約】【課題】遮蔽部材が開口を確実に開閉する機能を維持しつつ、ドライブ装置の小型化を図ることができる記録テープカートリッジを得る。【解決手段】記録テープカートリッジ１０では、ドライブ装置への装填側角部が切り欠かれて矢印Ａ方向に対して傾斜した開口２０は、ドア３０が、上記装填方向に一致する矢印Ａ方向に対して傾斜する閉塞位置に位置すると閉塞され、矢印Ａ方向に沿う右側壁１２Ａに並ぶ開放位置に位置すると開放される。ドア３０は、第１ガイド溝４０、第２ガイド溝４２に案内されることで、右側壁１２Ａに沿って配置された圧縮コイルスプリング４６の付勢力、またはドライブ装置の係合部材に係合する操作突起３６から伝達される移動力によって、向きを変えつつ閉塞位置と開放位置との間を移動する。【選択図】      図１
2005025815.tif 000002
【特許請求の範囲】
【請求項１】
記録テープを巻装した単一のリールを回転可能に収容する略矩形箱状のケースと、
前記ケースのドライブ装置への装填方向先頭側の角部を切り欠いて形成され、前記記録テープの端部に取り付けられたリーダ部材を引き出すための開口と、
前記ケース内に設けられ、前記装填方向に対し傾斜して前記開口を閉塞する閉塞位置と、該ケースにおける前記装填方向に沿う側壁と並んで前記開口を開放する開放位置とを選択的に取り得る平板状の遮蔽部材と、
前記側壁に沿って配置され、前記遮蔽部材に前記閉塞位置側への付勢力を付与する圧縮コイルばねと、
前記遮蔽部材に設けられ、前記ケースのドライブ装置への装填動作によって該ドライブ装置の係合部材に係合して該遮蔽部材に前記開放位置側への移動力を作用させる操作部と、
前記ケースに設けられ、前記遮蔽部材が前記付勢力または移動力によって向きを変えながら前記閉塞位置と開放位置との間を移動するように、該遮蔽部材を案内するガイド手段と、
を備えた記録テープカートリッジ。
【請求項２】
前記ガイド手段を、前記遮蔽部材の端部から突出したガイド突部に係合するカムレールとした、ことを特徴とする請求項１記載の記録テープカートリッジ。
【請求項３】
前記カムレールは、前記遮蔽部材における前記圧縮コイルばねの付勢力が作用する部位の移動軌跡が、前記側壁と略平行な直線、または該側壁に最も近接する点を通過する円弧となるように形成された、ことを特徴とする請求項２記載の記録テープカートリッジ。
【請求項４】
前記圧縮コイルばねに挿通されて該圧縮コイルばねの軸線と交差する方向の変形を阻止する芯部材を設けた、ことを特徴とする請求項１乃至請求項３の何れか１項記載の記録テープカートリッジ。
【請求項５】
前記芯部材を、前記遮蔽部材における前記圧縮コイルばねの付勢力が作用する部位に回動可能に連結した、ことを特徴とする請求項４記載の記録テープカートリッジ。
【請求項６】
前記操作部を、前記側壁に設けられた窓部から前記係合部材に係合可能に露出した、ことを特徴とする請求項１乃至請求項５の何れか１項記載の記録テープカートリッジ。
【発明の詳細な説明】
【０００１】
【発明の属する技術分野】
本発明は、磁気テープ等の記録テープが巻装された単一のリールを回転可能に収容した記録テープカートリッジに関する。
【０００２】
【従来の技術】
コンピュータ等の外部記録媒体として磁気テープ等の記録テープが用いられている。この記録テープとして、保存時の収容スペースが小さく、大容量の情報が記録できる、記録テープが巻装された単一のリールを収容する記録テープカートリッジが採用されている。
【０００３】
この記録テープカートリッジのケースには開口が形成されており、この開口から記録テープを引き出しドライブ装置側の巻取リールに巻き取らせるようになっている。そして、開口から塵埃等が侵入して記録テープに付着しないように、従来から種々の工夫が為されている（例えば、特許文献１乃至特許文献３参照）。
【０００４】
図１１に示すように、特許文献１記載の記録テープカートリッジ１００では、ケース１０２の側壁１０２Ａ（ケース装填Ａ方向に沿った側壁）に開口１０４が形成されている。この開口１０４は、装填方向に沿ってスライドするドア１０６で開閉される構成である。
【０００５】
しかし、この開口１０４の位置では、記録テープである磁気テープＴの端部に取付けられたリーダ部材であるリーダピン１０８を引き出すドライブ装置側の操作部材がケース１０２の横方向から回り込んでリーダピン１０８を引き出す必要がある。このため、操作部材が回り込むスペースをドライブ装置側に確保しなければならず、また、操作部材を回り込ます機構が複雑となり、どうしてもドライブ装置が大型化する。さらに、別の見方をすると、巻取リール１１０に対して磁気テープＴの引き出し経路が長くなる。
【０００６】
一方、図１２に示すように、特許文献２記載の記録テープカートリッジ１１２では、ケース１１４の正面壁１１４Ａ（ケース装填Ａ方向を向く前方壁）に開口１１６が形成されている。この開口１１６は、支軸回りに開閉する回転式のドア１１８で開閉される構成である。
【０００７】
この記録テープカートリッジ１１２では、正面壁１１４Ａに開口１１６が形成されているので、ドライブ装置側の操作部材は横方向から回り込んで磁気テープＴを引き出す必要はないが、ドア１１８が大きく外側に開くため、ドライブ装置側には、ドア１１８の開閉動作を邪魔しないようにスペースを確保しなければならない。このため、ドライブ装置が大型化する。
【０００８】
さらに、図１３に示すように、特許文献３記載の記録テープカートリッジ１２０では、ケース１２２の角部を切り欠いて開口１２４を形成し、磁気テープＴの端部が連結されたリーダ部材であるリーダブロック１２６で開口１２４を直接開閉する構成となっている。
【０００９】
しかし、リーダブロック１２６が開口１２４を閉じるドアとして機能するだけなら、リーダブロック１２６に傷や汚れが生じても問題はないが、リーダブロック１２６はそのまま操作部材に引き出され、ドライブ装置側の巻取リール１２８のハブ１３０に嵌合される構成である。このため、リーダブロック１２６に傷や汚れが生じると、ハブ１３０と上手く嵌合せず、磁気テープＴの走行に悪影響を与える恐れがある。また、リーダブロック１２６が磁気テープＴを巻き取る巻取面の一部を構成するため、上記傷や汚れによって磁気テープＴに記録済みデータの損傷や記録不能領域が発生する恐れがある。
【００１０】
さらに、リーダブロック１２６は開口１２４の縁部に係止されているだけなので、ケース１２２が落下すると外れてしまう恐れがあり、また、リーダブロック１２６はリーダピンと比較してサイズが大きいため、ケース１２２の形状に制約が多くなる。
【００１１】
そこで、本出願人は、上記のような各問題を解決する記録テープカートリッジについて既に特許出願している（例えば、特許文献４参照）。しかしながら、このような記録テープカートリッジについても、未だ改善の余地がある。
【００１２】
【特許文献１】
特開２００１−１４８１７９公報
【特許文献２】
特開２０００−１１５９１公報
【特許文献３】
特開平１１−２７３３０４号公報
【特許文献４】
特開２００３−１２３４３３
【００１３】
【発明が解決しようとする課題】
本発明は上記事実を考慮して、遮蔽部材が開口を確実に開閉する機能を維持しつつ、ドライブ装置の小型化を図ることができる記録テープカートリッジを得ることが目的である。
【００１４】
【課題を解決するための手段】
上記目的を達成するために請求項１記載の発明に係る記録テープカートリッジは、記録テープを巻装した単一のリールを回転可能に収容する略矩形箱状のケースと、前記ケースのドライブ装置への装填方向先頭側の角部を切り欠いて形成され、前記記録テープの端部に取り付けられたリーダ部材を引き出すための開口と、前記ケース内に設けられ、前記装填方向に対し傾斜して前記開口を閉塞する閉塞位置と、該ケースにおける前記装填方向に沿う側壁と並んで前記開口を開放する開放位置とを選択的に取り得る平板状の遮蔽部材と、前記側壁に沿って配置され、前記遮蔽部材に前記閉塞位置側への付勢力を付与する圧縮コイルばねと、前記遮蔽部材に設けられ、前記ケースのドライブ装置への装填動作によって該ドライブ装置の係合部材に係合して該遮蔽部材に前記開放位置側への移動力を作用させる操作部と、前記ケースに設けられ、前記遮蔽部材が前記付勢力または移動力によって向きを変えながら前記閉塞位置と開放位置との間を移動するように、該遮蔽部材を案内するガイド手段と、を備えている。
【００１５】
請求項１記載の記録テープカートリッジでは、記録テープの不使用時には、ケース内に設けられた遮蔽部材が、圧縮コイルばねの付勢力によって閉塞位置に位置して開口を閉塞する。一方、記録テープを使用する際には、ケースがドライブ装置に装填され、この装填動作に伴って遮蔽部材の操作部がドライブ装置の係合部材に係合しつつケースがドライブ装置に対し相対移動することで、遮蔽部材に開放位置側への移動力が作用する。この移動力によって遮蔽部材は、ガイド手段に案内されて、装填方向に対し傾斜した状態から該装填方向に沿う側壁と並ぶ状態へと向き（姿勢）を変えながら、開放位置へ移動し開口を開放する。ドライブ装置内で開放された開口からは、リーダ部材が記録テープと共に引き出される。
【００１６】
一方、操作部と係合部材との係合状態が解除されると、遮蔽部材は、圧縮コイルばねの付勢力によって、ガイド手段に案内されつつ上記開口の開放時とは反対方向に向きを変えながら閉塞位置へ移動し、開口が閉塞される。すなわち、ガイド手段は、少なくとも開口を閉塞する際に、遮蔽部材に作用する上記装填方向の付勢力を遮蔽部材が向きを変えつつ移動する力に変換する。このように、遮蔽部材は、ガイド手段に案内されつつ、ケース内でリーダ部材やリールの外側を回り込むようにして移動し、開口を確実に開閉する。
【００１７】
ここで、この開口は、矩形箱状のケースの装填側角部を切り欠いて形成されているため、その開放面が上記装填方向に対して傾斜してケースのドライブ装置への装填方向及び該装填方向と直交する方向に向いている。換言すれば、引出手段が、装填方向側から、装填方向と直交する方向から、或いは角部方向（上記傾斜方向に交差する方向）からリーダ部材にアクセスできる。このため、記録テープを引き出すための経路が最短となるドライブ装置の設計が可能となり、また引出手段が回り込んでリーダ部材をチャックするようなドライブメカが不要となるので、小型で低コストのドライブ装置を設計することができる。また、本記録テープカートリッジは、遮蔽部材がケース内で閉塞位置と開放位置との間を移動して開口を開閉するため、該遮蔽部材が開口を開閉する過程でケースからはみ出すことがなく、ドライブ装置内における収容スペースが小さい。
【００１８】
そして、上記装填方向に沿う付勢力を遮蔽部材が向きを変えつつ移動する力に変換するガイド手段を設けたため、簡単な構造の付勢手段である圧縮コイルばねをケースの側壁に沿って（並んで）配置することで、上記の通り開口の開閉に伴って向きを変える遮蔽部材によって開口を確実に閉塞する機能が実現される。また、側壁に沿って配置される圧縮コイルばねは、ケースにおけるリール等の収容空間に張り出すことなく、ケース内の比較的狭い空間に効果的にレイアウトされる。さらに、遮蔽部材は、ケースのドライブ装置への装填に伴って操作部が係合部材に係合することで上記の通り開放位置へ移動するため、係合部材は単に開口の開放過程でその向きを変化させる遮蔽部材の操作部に当接した状態でこれに追従可能であれば足り、ドライブ装置の構造が簡素化される。
【００１９】
このように、請求項１記載の記録テープカートリッジでは、遮蔽部材が開口を確実に開閉する機能を維持しつつ、ドライブ装置の小型化を図ることができる。また、開口を開閉する遮蔽部材は、ケースから引き出されるリーダ部材とは別個に設けられケースから取り外される必要がないため、落下衝撃で容易に外れない設計とすることができる。一方、リーダ部材は、記録テープの非使用時には、遮蔽部材によって開口が閉塞されたケース内に収納されており、キズや汚れが付き難い。このため、ドライブ装置内での記録テープの引き出しや走行に影響を与えず、記録テープ自体を損傷することもない。
【００２０】
なお、請求項１記載の遮蔽部材とは、ドア、扉、リッド、シャッター、ガードパネル等のように、開口を閉じることができる部材の総称を言う。
【００２１】
請求項２記載の発明に係る記録テープカートリッジは、請求項１記載の記録テープカートリッジにおいて、前記ガイド手段を、前記遮蔽部材の端部から突出したガイド突部に係合するカムレールとした、ことを特徴としている。
【００２２】
請求項２記載の記録テープカートリッジでは、遮蔽部材は、その端部から突出したガイド突起が係合するカムレールに案内されて、上記付勢力または移動力によって閉塞位置と開放位置との間を移動する。このように、遮蔽部材がガイド突起を介してカムレールに案内されるため、向きを変えながら移動する遮蔽部材によって開口を確実に閉塞する機能が一層簡単な構造（ガイド手段の構造）で実現される。なお、カムレールは、例えば、ガイド突起が入り込む（移動方向と交差する両側から係合する）溝、凹部、孔、またはガイド突起が片側のみで摺動する壁部等で構成することができる。
【００２３】
請求項３記載の発明に係る記録テープカートリッジは、請求項２記載の記録テープカートリッジにおいて、前記カムレールは、前記遮蔽部材における前記圧縮コイルばねの付勢力が作用する部位の移動軌跡が、前記側壁と略平行な直線、または該側壁に最も近接する点を通過する円弧となるように形成された、ことを特徴としている。
【００２４】
請求項３記載の記録テープカートリッジでは、遮蔽部材は、その圧縮コイルばねの付勢力作用部位が、ケースの側壁（ドライブ装置への装填方向）に略平行な直線、または該側壁に最も近接する点を通過する円弧を描くように、閉塞位置と開放位置との間を移動する。このため、ケースの側壁に沿って設けられた圧縮コイルばねは、その軸線方向と交差する方向の変形がないか、若しくは該変形が抑制され、遮蔽部材に上記装填方向に交差する方向の力が作用することが防止される。これにより、遮蔽部材の作動が安定する。
【００２５】
請求項４記載の発明に係る記録テープカートリッジは、請求項１乃至請求項３の何れか１項記載の記録テープカートリッジにおいて、前記圧縮コイルばねに挿通されて該圧縮コイルばねの軸線と交差する方向の変形を阻止する芯部材を設けた、ことを特徴とすることを特徴としている。
【００２６】
請求項４記載の記録テープカートリッジでは、圧縮コイルばねは、その軸芯部に挿通された芯部材によって軸線と交差する方向の変形（座屈）が阻止されているため、遮蔽部材に上記装填方向に交差する方向の力が作用することが確実に防止され、該遮蔽部材の作動が一層安定する。
【００２７】
請求項５記載の発明に係る記録テープカートリッジは、請求項４記載の記録テープカートリッジにおいて、前記芯部材を、前記遮蔽部材における前記圧縮コイルばねの付勢力が作用する部位に回動可能に連結した、ことを特徴としている。
【００２８】
請求項５記載の記録テープカートリッジでは、芯部材が遮蔽部材における圧縮コイルばねの付勢力作用部位に回動（角変位）可能に連結されているため、芯部材は、開口の開閉に伴い向き（姿勢）を変化する遮蔽部材に対し角変位し、圧縮コイルばねと共に側壁に沿う状態を維持する。このため、芯部材の変形や他との干渉によって遮蔽部材に上記装填方向に交差する方向の力が作用することが防止され、該遮蔽部材の作動がより一層安定する。
【００２９】
請求項６記載の発明に係る記録テープカートリッジは、請求項１乃至請求項５の何れか１項記載の記録テープカートリッジにおいて、前記操作部を、前記側壁に設けられた窓部から前記係合部材に係合可能に露出した、ことを特徴としている。
【００３０】
請求項６記載の記録テープカートリッジでは、ケースの側壁に設けられた窓部から遮蔽部材の操作部が露出しており、ドライブ装置への装填動作に伴って、該操作部が係合部材に係合しつつケースがドライブ装置に対し相対移動することで、遮蔽部材には上記装填方向とは反対方向の（装填方向に沿った）移動力が作用する。この移動力は、ガイド手段（ガイド突起に係合するカムレール）によって遮蔽部材が向きを変えつつ開放位置側へ移動する力に変換され、遮蔽部材は圧縮コイルばねの付勢力に抗して開放位置へ移動する。このように、記録テープカートリッジのドライブ装置に対する相対移動によって開口が開放されるため、ドライブ装置側の係合部材は、単にケース側壁の窓部から露出する操作部が上記装填によって係合可能な位置に固定的に配置されていれば足り、構造が簡単である。
【００３１】
【発明の実施の形態】
本発明の実施の形態に係る記録テープカートリッジ１０について、図１乃至図８に基づいて説明する。まず、記録テープカートリッジ１０の概略の全体構成を説明し、次いで、本発明の要部である開口２０及び該開口２０を開閉する遮蔽部材としてのドア３０について説明する。なお、説明の便宜上、矢印Ａで示す記録テープカートリッジ１０のドライブ装置への装填方向を記録テープカートリッジ１０の前方向（前側）とし、矢印Ａと直交する矢印Ｂ方向を右方向とする。
【００３２】
（記録テープカートリッジの全体構成）
図１に概略の分解斜視図にて示される如く、記録テープカートリッジ１０は、平面視で略矩形状のケース１２内に、情報記録再生媒体である記録テープとしての磁気テープＴを巻装した単一のリール１４を回転可能に収容して構成されている。
【００３３】
ケース１２は、ドライブ装置への装填方向先頭側の１つの角部である右前角部がそれぞれ切り欠かれた一対の上ケース１６と下ケース１８とを互いの周壁１６Ａ、１８Ａを突き合わせて接合することで構成されており、内部に磁気テープＴを巻装したリール１４の収容空間が設けられている。そして、上ケース１６及び下ケース１８の周壁１６Ａ、１８Ａが、天板１６Ｂ及び底板１８Ｂと共に切り取られた上記角部が磁気テープＴの引き出し用の開口２０とされている。
【００３４】
この開口２０から引き出される磁気テープＴの自由端には、ドライブ装置のチャッキング機構２２（図４参照）によって係止され（係合され）つつ引き出し操作されるリーダピン２４が接続されている。リーダピン２４における磁気テープＴの幅方向端部より突出した両端部には、環状溝２４Ａが形成されており、この環状溝２４Ａがチャッキング機構２２のフック２２Ａに係止される。これにより、磁気テープＴを引き出す際に、フック２２Ａが磁気テープＴに接触して傷付けない構成である。
【００３５】
また、ケース１２の開口２０の内側には、ケース１２内においてリーダピン２４を位置決め、保持する上下一対のピン台２６が設けられている（上ケース１６側のピン台は図示省略）。ピン台２６は、半円筒形状をしており、その凹部２６Ａに直立した状態のリーダピン２４の両端部が保持される。そして、ピン台２６の外周壁の磁気テープＴ引き出し側は開放しており、リーダピン２４が出入りする出入口となっている。
【００３６】
さらに、下ケース１８の底板１８Ｂの中央部には、リール１４の図示しないリールギヤを外部に露出するためのギヤ開口１８Ｃが設けられており、リール１４はリールギヤがドライブ装置の駆動ギヤに噛合わされてケース１２内で回転駆動されるようになっている。また、リール１４は、上ケース１６及び下ケース１８の内面にそれぞれ部分的に突設されてギヤ開口１８Ｃと同軸的な円形の軌跡上にある遊動規制壁１９によってガタ付かないように保持されている。
【００３７】
（開口及び開口近傍のケースの構成）
図２乃至図４にも示される如く、開口２０は、上記の通りケース１２のドライブ装置への装填側角部が切り欠かれて形成されることで、その開放面が矢印Ａ方向及び矢印Ｂ方向に向く（矢印Ａ方向に対し傾斜している）ため、ドライブ装置のチャッキング機構２２が、矢印Ａ方向、矢印Ｂ方向、或いは矢印Ａ方向と矢印Ｂ方向の間からアクセスしてリーダピン２４をチャックできる。
【００３８】
これによって、リーダピン２４を保持するピン台２６を設置可能なエリアが広がる。つまり、ドライブ装置のチャッキング機構２２がリーダピン２４をチャックできる可能な領域が広いため、矢印Ａ方向または矢印Ｂ方向からチャックするドライブ装置の仕様に合わせてピン台２６の設置位置を設定できる。このため、ドライブ装置の設計の自由度も広がる。
【００３９】
この開口２０の前後の縁部、すなわち、上ケース１６及び下ケース１８の切り欠かれた周壁１６Ａ、１８Ａの終端部には、それぞれビスボス２８、２９が形成されている。これらのビスボス２８、２９へは下側から図示しないビスがねじ込まれて、上ケース１６と下ケース１８とが固定（接合）される。
【００４０】
これによって、周壁１６Ａ、１８Ａの自由端によって規定され強度的に不利で落下によって地面等に衝突しやすい開口２０両端のコーナー部は、強度が向上し、ケース１２を落としても記録テープカートリッジ１０全体の重量で変形したり座屈して位置ズレしない構成である。
【００４１】
なお、本実施の形態では、一例としてビスのネジ山径をφ２．０ｍｍ、ビスボス２８、２９の外径をφ４．０ｍｍとしている。また、ビスに代えて、ビスボス２８、２９に相当する位置に上ケース１６から突起を突設すると共に下ケース１８に突起と嵌合する嵌合孔を設け、突起と嵌合孔とを互いに嵌合させても良いが、この場合、嵌合部位の半径３０ｍｍ以内の箇所において上ケース１６と下ケース１８とをビス止めすることが望ましい。さらに、周壁１６Ａ、１８Ａの付き当て面（開口２０両側のコーナー部）は溶着固定しても良い。
【００４２】
また、ピン台２６が設置されたエリア（開口２０付近）では、板厚が上ケース１６及び下ケース１８とも２ｍｍとされ、他のエリアと比較して厚肉となっている（図示省略）。さらに、ケース１２（上ケース１６及び下ケース１８）はポリカーボネート素材（ＰＣ）で形成されている。なお、ケース１２の後述する第１ガイド溝４０、第２ガイド溝４２の溝底部における肉厚は、０．５ｍｍから１ｍｍとされている。これらは、記録テープカートリッジ１０の機能上で最も重要な（磁気テープＴを引き出す際にチャッキング機構２２に正しく係止されるべき）リーダピン２４の保持（位置決め）位置であるピン台２６付近の強度を上げ、落下等による衝撃で位置ズレが生じないようにするためである。
【００４３】
そして、開口２０の開放面の矢印Ａ方向に対する傾斜角は、ライブラリ装置における記録テープカートリッジ１０の識別（認識）の要求に応じて決められている。ここで、ライブラリ装置は、複数の記録テープカートリッジ１０を収容して記録テープカートリッジ１０を自動的に（人手を介在させないで）ドライブ装置に着脱するものであるが、その取り扱う記録テープカートリッジ１０及びドライブ装置が複数種となる場合、記録テープカートリッジ１０の世代や記録容量等を認識する必要があり、この認識に開口２０の開放面の傾斜角を利用することができる。
【００４４】
これにより、上記の如く強度上の配慮が為された磁気テープＴ引き出し用の開口２０が、その開放面の傾斜角（具体的には、開口２０の上下を規定する天板１６Ｂまたは底板１８Ｂの傾斜角）によってライブラリ装置での認識部を兼ねるため、開口２０と認識部とを別個に設けた場合（例えば、認識部としてケース１２に１つまたは複数の貫通孔を設けた場合）に懸念されるケース１２の強度不足や防塵性の低下、及び金型構造の複雑化を防止できる。
【００４５】
また、ケース１２は、開口２０の後縁を規定するビスボス２９に連続する右側壁１２Ａ（右側の周壁１６Ａ、１８Ａで構成される矢印Ａ方向に沿う側壁）に設けられらた窓部としてのスリット５０を備えている。
【００４６】
スリット５０は、右側壁１２Ａを構成する周壁１６Ａの下部及び周壁１８Ａの上部が切り欠かれて、右側壁１２Ａの上下方向中央部に位置すると共に前後方向に長手の矩形状に形成されている。また、スリット５０は、右側壁１２Ａの上下方向中央部分がビスボス２９の右方まで切り欠かれることで、前方へも開口している（図２乃至図４参照）。スリット５０は、後述するドア３０の操作突起３６の露出用とされている。
【００４７】
さらに、ケース１２は、後述するドア３０をガイドする第１ガイド溝４０、第２ガイド溝４２、及び後述する圧縮コイルスプリング４６の一端部が係止されるばね受け部５４を備えているが、これらについては、ドア３０と共に後述する。
【００４８】
（ドアの構成）
以上説明した開口２０は、ケース１２内に設けられた遮蔽部材としてのドア３０によって開閉されるようになっている。ドア３０は、矩形平板状に形成され、ケース１２の内側から開口２０を閉塞可能に形成されている。
【００４９】
ドア３０は、その長手方向一端部における上下（幅方向）の端面からそれぞれ突設されたガイドピン３２と、長手方向他端部における上下の端面からそれぞれ突設されたガイドピン３４とを有している。また、ドア３０は、そのガイドピン３４側の上記他端部における上下方向中間部に設けられ厚み方向に貫通する切欠部３８、及び該他端部から切欠部３８を跨ぐように厚み方向外側に突設された操作突起３６を有している。
【００５０】
このドア３０は、ケース１２に設けられたガイド手段またはカムレールとしての第１ガイド溝４０、第２ガイド溝４２によって所定の経路に案内されつつ、開口２０を閉塞する閉塞位置と、開口２０を開放する開放位置との間を移動可能とされている。
【００５１】
具体的には、図５乃至図７にも示される如く、ケース１２の天板１６Ｂ及び底板１８Ｂにおける右側壁１２Ａの近傍には、互いに対向する上下一対の第１ガイド溝４０が矢印Ａ方向に沿って設けられている。第１ガイド溝４０は、その基端がビスボス２９の若干後方とされると共に、その長さがドア３０の板長よりも若干短く形成されている。上下の第１ガイド溝４０は、それぞれ内部にドア３０のガイドピン３４が挿入されて、該ガイドピン３４をその長手方向に沿って案内する構成である。
【００５２】
一方、ケース１２の天板１６Ｂ及び底板１８Ｂにおける開口２０の開放面とピン台２６との間には、矢印Ａ方向に対して所定角度傾斜され互いに対向する上下一対の第２ガイド溝４２が設けられている。第２ガイド溝４２は、その基端及び終端が前後のビスボス２８、２９近傍とされると共に、その長さがドア３０の板長よりも若干短く形成されている。上下の第２ガイド溝４２は、それぞれ内部にドア３０のガイドピン３２が挿入されて、該ガイドピン３２をその長手方向に沿って案内する構成である。
【００５３】
これにより、ドア３０は、ガイドピン３２が第２ガイド溝４２の前端に位置すると共にガイドピン３４が第１ガイド溝４０の前端に位置した状態で、一端部がビスボス２８に当接すると共に他端部がビスボス２９近傍の右側壁１２Ａに当接する閉塞位置に位置し、開口２０を内側から閉塞する構成である（図５及び図８（Ａ）参照）。すなわち、ドア３０は、閉塞位置に位置するときに矢印Ａ方向に対し傾斜する構成である。
【００５４】
また、ドア３０は、図６及び図８（Ｂ）に示される如く、ガイドピン３２、３４においてそれぞれ第１ガイド溝４０、第２ガイド溝４２によって案内されて平面視でガイドピン３４廻りに時計方向へ回転しながら、後方へ移動するようになっている。そして、ドア３０は、ガイドピン３２が第２ガイド溝４２の後端に位置すると共にガイドピン３４が第１ガイド溝４０の後端に位置した状態で、右側壁１２Ａと略平行に並ぶ開放位置に位置し、開口２０を開放する構成である（図７及び図８（Ｃ）参照）。
【００５５】
なお、図７に示される如く、第２ガイド溝４２は、開放位置に位置するドア３０の一端部（ガイドピン３２側である前端部）が、開口２０の開放面（縁部）からビスボス２９に接するように引いた該開放面の法線ｎよりも前に突出しないように、その終端の位置が決められている。これにより、開放位置に位置するドア３０がチャッキング機構２２の進入を邪魔しないようになっている。また、第２ガイド溝４２の矢印Ａ方向に対する傾斜角は、上記ドア３０の動作上の要求によって決められており、本実施の形態では、上記の如く認識部としての機能上の要求によって決められる開口２０の開放面の矢印Ａ方向に対する傾斜角とは一致しない。すなわち、本実施の形態では、開口２０の開放面と第２ガイド溝４２とは平行ではない構成である。なお、開口２０の開放面と第２ガイド溝４２とが、結果として平行となっても良いことは言うまでもない。
【００５６】
また、本実施の形態では、第２ガイド溝４２の後端を第１ガイド溝４０の前端よりもケース１２の内方（矢印Ｂ方向とは反対側）に配置することで、開口２０の閉塞状態で、第２ガイド溝４２が外部に露出されないようになっている。換言すれば、第２ガイド溝４２は、開口２０の閉塞位置にあるドア３０に対しケース１２内方側に形成されており、磁気テープＴの不使用時（保管時や運搬時）にその内部に塵埃や粉塵が堆積しない構成である。このため、開放位置に位置するドア３０は、右側壁１２Ａ（矢印Ａ方向）に対し若干傾斜するようになっている。
【００５７】
さらに、ドア３０の動作をスムースに行うために、各ガイドピン３２、３４と第１ガイド溝４０、第２ガイド溝４２（幅方向）とのクリアランスは、互いの中心線を一致させたと仮定して片側で０．０５ｍｍから０．４ｍｍ（両側では０．１ｍｍから０．８ｍｍ）程度が好ましく、特に０．２ｍｍとするとドア３０のガタつきを防止しつつ作動をスムースにでき好適である。また、ドア３０の上下の端面とケース１２の内面（天板１６Ｂ及び底板１８Ｂ）とのクリアランスは、片側で０．０５ｍｍから０．２ｍｍ程度が好ましい。
【００５８】
さらにまた、第２ガイド溝４２の前端部は、その長手方向に対しケース１２の外方向きに屈曲する屈曲部４４とされている。屈曲部４４は矢印Ａ方向に沿って形成され、ドア３０が開口２０を閉塞した状態では、後述する圧縮コイルスプリング４６の付勢力によって、その内部にドア３０のガイドピン３２が入り込むようになっている。
【００５９】
これにより、ドア３０による開口２０の閉塞状態で、ユーザーがドア３０を開放位置側へ移動しようとしても、ガイドピン３２が屈曲部４４に引掛かり（ガイドピン３２と屈曲部４４との摩擦抵抗がガイドピン３２を屈曲部４４に沿って移動させる方向の分力よりも大きくなり）、容易にドア３０を開放させない簡易ロック的な構成となっている。なお、本実施の形態では、屈曲部４４が矢印Ａ方向に沿って形成されたが、屈曲部４４は、その第２ガイド溝４２の長手方向に対する傾斜角を５０°から１５０°の間の任意の値に設定でき、曲線状に湾曲して形成することもできる。
【００６０】
また、記録テープカートリッジ１０は、ドア３０を閉塞位置側に付勢する圧縮コイルばねとしての圧縮コイルスプリング４６を備えている。圧縮コイルスプリング４６は、座屈防止用の芯部材５２を挿通した状態でケース１２とドア３０との間に圧縮状態で配設されている。
【００６１】
具体的には、棒状に形成された芯部材５２は、その前端部に設けられた支持部５２Ａがドア３０の切欠部３８に入り込んでピボット結合されており、該結合部位廻りの水平面に沿う（右側壁１２Ａに接離する方向の）回動または揺動可能に支持されている。また、下ケース１８における第１ガイド溝４０の後端よりも後方には、右側壁１２Ａを構成する周壁１８Ａの内方に連続してばね受け部５４が設けられている。
【００６２】
ばね受け部５４は、周壁１８Ａの上端近傍で開口し圧縮コイルスプリング４６の一端部を下から支える溝部５４Ａと、溝部５４Ａの後端に設けられ圧縮コイルスプリング４６の一端（後端）が係止される係止部５４Ｂとを有して構成されている。係止部５４Ｂは、芯部材５２が干渉しないように通過可能とされており、ドア３０の移動に伴って移動する芯部材５２を逃す構成である。なお、係止部５４Ｂの上方への開口部分は、上ケース１６に設けられた図示しない壁部によって閉塞されており、上記芯部材を逃す機能を維持しつつ該芯部材５２すなわち圧縮コイルスプリング４６の位置ずれが防止されている。
【００６３】
そして、圧縮コイルスプリング４６は、圧縮状態で、一端（後端）部が上記ばね受け部５４に係止されると共に、他端（前端）部が芯部材５２におけるドア３０に連結された支持部５２Ａに当接している。これにより、記録テープカートリッジ１０では、右側壁１２Ａに沿って配置された圧縮コイルスプリング４６によって、ドア３０が上記の通り閉塞位置側に付勢されており、通常は開口２０が閉塞される構成である。すなわち、ドア３０には、圧縮コイルスプリング４６による略矢印Ａ方向の付勢力が常時作用する構成である。
【００６４】
また、ドア３０は、その操作突起３６がケース１２のスリット５０から露出している。操作突起３６は、ドア３０が閉塞位置に位置するときには、ビスボス２９の直後方に位置すると共、その先端がスリット５０の延部を規定する周壁１６Ａ、１８Ａの対向面間（板厚部分内）に位置して右側壁１２Ａよりも右方へ突出しないようになっている（図２及び図５参照）。
【００６５】
この操作突起３６は、記録テープカートリッジ１０がドライブ装置に装填される動作に伴って、該ドライブ装置に固定されスリット５０における前方に開口した部分（ビスボス２９の右側部分）から進入する係合部材５８に前方から係合可能とされている。これにより、記録テープカートリッジ１０では、ドライブ装置に装填されると、操作突起３６が係合部材５８に係合しつつドア３０を相対的に後方（開放位置側）へ移動させるようになっている。すなわち、操作突起３６が係合部材５８に係合しつつ、ケース１２がドライブ装置（操作突起５８）に対し矢印Ａ方向に相対移動することで、ドア３０にはケース１２に対し後方への（矢印Ａ方向とは略反対向きの）移動力が作用する構成である。
【００６６】
さらに、図１に示される如く、ドア３０は、閉塞位置に位置するときにスリット５０を閉塞するスリットカバー５６を有している。スリットカバー５６は、略矩形の薄板（幕）状に形成され、前端部に操作突起３６を挿通させる保持孔５６Ａを有している。スリットカバー５６は、保持孔５６Ａに操作突起３６を挿通させた状態でドア３０に接着等によって固定され、右側壁１２Ａの内面に摺動可能に接触して配置されている。
【００６７】
これにより、記録テープカートリッジ１０は、その不使用時にスリットカバー５６によってスリット５０が閉塞され、ケース１２内、特に磁気テープＴをケース１２外に引き出すために遊動規制壁１９が切り欠かれているピン台２６近傍部分を経由したリールエリアへの塵芥等の侵入が防止されている。なお、図１以外の図では、スリットカバー５６の図示を省略している。
【００６８】
以上説明したドア３０は、ＰＣより成るケース１２に対して、耐摩耗性に優れ低摩擦係数である、例えば、ポリアセタール（ポリオキシメチレン、ＰＯＭ）樹脂によって一体に成形されている。また、ガイドピン３２、３４は、ドア３０の本体とは別個に形成されても良く、その場合、ポリアミド（ＰＡ）、ポリテトラフロロエチレン（ＰＴＦＥ）、ポリエチレン（ＰＥ）等の樹脂材或いは金属材、またはこれらを主成分とする材料にて構成されても良い。一方、ケース１２もＰＣに代えてアクリロニトリルブタジエートスチレン（ＡＢＳ）や金属材とすることもできるが、ケース１２を金属材で構成する場合は、摩耗特性や異音の防止を考慮してガイドピン３２、３４を樹脂材にて構成する必要がある。
【００６９】
次に、本実施の形態の作用を説明する。
【００７０】
上記構成の記録テープカートリッジ１０では、不使用時（保管時や運搬時等）には、開口２０がドア３０によって内側から閉塞されている。この状態で、ドア３０は、そのガイドピン３２が圧縮コイルスプリング４６の付勢力によって第２ガイド溝４２の屈曲部４４に入り込んで簡易的にロックされている。すなわち、ユーザーがドア３０を開口２０の開放面に沿って動かそうとしても、ガイドピン３２が屈曲部４４の溝壁に係合してドア３０は動かない。このため、開口２０は、その閉塞状態が維持され、ユーザーの故意によって開放されることはない。
【００７１】
一方、磁気テープＴを使用する際には、記録テープカートリッジ１０を矢印Ａ方向に沿ってドライブ装置のバケット（図示省略）へ装填する。この装填に伴って、図５及び図７に示される如く、ドライブ装置のバケットに固定された係合部材５８がドア３０の操作突起３６に係合することでドア３０に略後方への移動力が付与される。この移動力によって、ドア３０は、第１ガイド溝４０、第２ガイド溝４２に案内されてガイドピン３４廻りに回動しつつ略後方へ移動する。そして、ドア３０が右側壁１２Ａと略平行に並んで開放位置に至ると、開口２０が完全に開放される（図７の状態となる）。
【００７２】
すなわち、ドア３０は、第１ガイド溝４０と第２ガイド溝４２とによって案内されガイドピン３４廻りに回動して向き（姿勢）を変えながら、リール１４及びリーダピン２４（ピン台２６）の外側を回り込むように閉塞位置から開放位置まで移動する。
【００７３】
また、記録テープカートリッジ１０がバケットに所定深さまで装填されると、バケットは下降し、記録テープカートリッジ１０はドライブ装置内で鉛直方向及び水平方向に正確に位置決めされる。さらに、この下降に伴ってリール１４のリールギヤにはドライブ装置の駆動ギヤ（図示省略）が噛合わされ、リール１４の回転駆動可能状態となる。そして、開放された開口２０からは、チャッキング機構２２のフック２２Ａがケース１２内に進入し、このフック２２Ａがピン台２６に位置決め保持されたリーダピン２４を係止する。
【００７４】
リーダピン２４を係止したチャッキング機構２２は、リーダピン２４をケース１２から抜き出して磁気テープＴをケース１２から引き出す。さらに、チャッキング機構２２は、所定のテープ経路に沿って磁気テープＴを引き出しつつ、リーダピン２４を図示しない巻取リールのハブに誘導して該リーダピン２４をフック２２Ａと共にハブの収容部に収容保持させる。
【００７５】
この状態でリール１４及び巻取リールを同期して回転駆動させることにより、磁気テープＴは、巻取リールのハブに順次巻き取られつつ、所定のテープ経路に沿って配設された記録再生ヘッドによって情報の記録または情報の再生が行われる。
【００７６】
一方、磁気テープＴを巻き戻す際には、リール１４及び巻取リールを逆回転駆動する。磁気テープＴがすべて巻き戻されると、チャッキング機構２２は、リーダピン２４をピン台２６に保持させる。このチャッキング機構２２が開口２０から抜け出ると、バケットが上昇して記録テープカートリッジ１０（ケース１２）は位置決め状態が解除される。
【００７７】
この状態で記録テープカートリッジ１０は、図示しないイジェクト機構または圧縮コイルスプリング４６の付勢力によって矢印Ａ方向とは反対方向に移動され、ドア３０は、圧縮コイルスプリング４６の付勢力によって開口２０の閉塞位置に復帰する。この復帰時にも、ドア３０は、第１ガイド溝４０及び第２ガイド溝４２に案内されてガイドピン３４廻りに回転しつつ略前方へ移動する。
【００７８】
このように、第１ガイド溝４０及び第２ガイド溝４２は、開口２０を開閉する際に、ドア３０に作用する矢印Ａ方向または反対方向と略一致する上記付勢力または移動力をドア３０が向きを変えつつ移動する力に変換する。そして、ドア３０は、第１ガイド溝４０及び第２ガイド溝４２に案内されつつ、ケース１２内でリーダピン２４やリール１４の外側を回り込むようにして移動し、開口２０を確実に開閉する。
【００７９】
ここで、開口２０は、矩形状のケース１２の装填側角部を切り欠いて形成されているため、その開放面が矢印Ａ方向及び矢印Ｂ方向に向いている（開放面が矢印Ａ方向に対して傾斜している）。換言すれば、ドライブ装置のチャッキング機構２２がケース１２の矢印Ａ方向を向く前面側からリーダピン２４にアクセスでき、矢印Ｂ側の周壁（側壁）１６Ａ、１８Ａよりも外側（矢印Ｂ側）からアクセスする必要がない。このため、ドライブ装置では、磁気テープＴを引き出すための経路を最短とでき、また、チャッキング機構２２がケース１２の矢印Ｂ側から回り込むようなドライブメカが不要となり、小型化及び低コスト化が図られる。
【００８０】
また、ドア３０がケース１２内で閉塞位置と開放位置との間を移動して開口２０を開閉するため、該ドア３０が開口２０を開閉する過程でケース１２からはみ出すことがなく、記録テープカートリッジ１０はドライブ装置内における収容スペースが小さい。別言すると、ドライブ装置は、その内部にドア３０の開閉スペースを確保する必要がない。また、ケース１２の開口２０が形成された切欠き部分に対応するドライブ装置内のスペースにも、ドライブ装置側の部品（例えば、記録テープ案内用のローラ等）を配設できる。
【００８１】
そして、矢印Ａ方向に沿う付勢力をドア３０が向きを変えつつ移動する力に変換する第１ガイド溝４０及び第２ガイド溝４２を設けたため、簡単な構造の付勢手段である圧縮コイルスプリング４６をケース１２の右側壁１２Ａに沿って配置する簡単な構造で、上記の通り開口２０の開閉に伴って向きを変えるドア３０によって開口２０を確実に閉塞する機能が実現されている。特に、ドア３０がガイドピン３２、３４を介して第１ガイド溝４０及び第２ガイド溝４２に案内されるため、向きを変えながら移動するドア３０によって開口２０を確実に閉塞する機能が簡単な構造で実現される。また、右側壁１２Ａに沿って配置される圧縮コイルスプリング４６は、ケース１２におけるリール１４等の収容空間に張り出すことなく、ケース１２内の比較的狭い空間に効果的にレイアウトされる。別言すると、圧縮コイルスプリング４６がリール１４のレイアウトに与える影響がなく（または著しく小さく）、例えば板ばねや捩りコイルばねを用いた構成と比較してリール１４を前よりに配置することが可能となり、記録テープカートリッジ１０をコンパクトな設計とすることができる。
【００８２】
さらに、ドア３０は、ケース１２のドライブ装置への装填に伴って操作突起３６が係合部材５８に係合することで上記の通り開放位置へ移動するため、係合部材５８は単に開口２０の開放過程でその向きを変化させるドア３０の操作突起３６に当接した状態でこれに追従可能であれば足り、ドライブ装置の構造が簡素化される。特に、本実施の形態では、ドア３０の操作突起３６は、ケース１２の右側壁１２Ａに設けたスリット５０から上記装填に伴って係合部材５８に係合可能に露出しており、かつ、係合部材５８から伝達される移動力が第１ガイド溝４０及び第２ガイド溝によってドア３０が向きを変えつつ開放位置へ移動する力に変換されるため、係合部材５８は、単に操作突起３６に係合可能な位置に固定的に配置されていれば足り、ドライブ装置の構造が一層簡素化される。
【００８３】
このように、本実施の形態に係る記録テープカートリッジ１０では、ドア３０が開口２０を確実に開閉する機能を維持しつつ、ドライブ装置の小型化を図ることができる。
【００８４】
また、上記の如く磁気テープＴを引き出すための経路を最短にすると、磁気テープＴのパス経路も必然的に短くなるので、磁気テープＴとテープガイド（例えば、回転可能に支持されたローラ等）との接触摩耗を低減することができる。
【００８５】
さらに、開口２０は上記の通り矢印Ａ方向及び矢印Ｂ方向を向くため、チャッキング機構２２（フック２２Ａ）のリーダピン２４へのアクセス方向の範囲が広がり、ケース１２内におけるリーダピン２４の設置可能位置が広がる。そして、ドア３０の動作軌跡がリーダピン２４の現実的な設置可能位置とは干渉しないため、リーダピン２４の設置可能位置が狭められることもない。これらにより、ドライブ装置の設計自由度が向上する。
【００８６】
さらにまた、ドア３０は、ケース１２から引き出されるリーダピン２４とは別部材であるため、各ガイドピン３２、３４、第１ガイド溝４０、第２ガイド溝４２によってケース１２からの取り外し不能な構成となっている。すなわち、ドア３０は、記録テープカートリッジ１０を落下させた場合の衝撃等によってケース１２から容易に外れることがない。一方、リーダピン２４は、磁気テープＴの非使用時には、ドア３０によって開口２０が閉塞された密閉状態のケース１２内に収納されており、キズや汚れが付き難い。このため、ドライブ装置内での磁気テープＴの引き出しや走行に影響を与えず、磁気テープＴを損傷することもない。
【００８７】
またここで、ドア３０における圧縮コイルスプリング４６の付勢力が作用する芯部材５２のピボット結合部位（切欠部３８）は、その上下に位置するガイドピン３４が第１ガイド溝４０に案内されることにより、開口２０の開閉によって右側壁１２Ａ（矢印Ａ方向）に略平行な直線上を移動する。このため、右側壁１２Ａに沿って設けられた圧縮コイルスプリング４６は、その軸線方向と交差する方向の変形がないか、若しくは該変形が著しく抑制され、ドア３０に矢印Ａ方向に交差する方向の力が作用することが防止される。これにより、ドア３０の作動、すなわち開口２０の開閉動作が安定する。
【００８８】
さらにここで、記録テープカートリッジ１０では、芯部材５２を圧縮コイルスプリング４６に挿通して該圧縮コイルスプリング４６の軸線と交差する方向の変形（座屈）を防止しているため、ドア３０に上記装填方向に交差する方向の力が作用することが確実に防止され、ドア３０の作動が一層安定する。特に、芯部材５２がドア３０にピボット結合されて右側壁１２Ａに接離する方向の揺動が可能であるため、芯部材５２は、開口２０の開閉に伴うドア３０の向きの変化に追従して、圧縮コイルスプリング４６と共に右側壁１２Ａに沿う状態を維持するように角変位する。このため、芯部材５２が開口２０の開閉に伴うドア３０の移動を阻害したり抵抗力を与えたりすることが防止される。すなわち、芯部材５２の変形や他との干渉によってドア３０に矢印Ａ方向に交差する方向の力が作用することが防止され、該ドア３０の作動がより一層安定する。
【００８９】
なお、上記の実施の形態では、ガイド手段またはカムレールとしての第１ガイド溝４０、第２ガイド溝４２を備えた構成としたが、本発明はこれに限定されず、例えば、図９及び図１０に示される変形例に係る構成としても良い。以下、この変形例について説明するが、上記実施の形態と基本的に同一の部品・部分については上記実施の形態と同一の符号を付して説明を省略する。
【００９０】
この変形例に係る構成では、それぞれ上下一対の第１ガイド溝４０、第１ガイド溝４２に代えて、ガイド手段またはカムレールとしての上下一対の円弧状ガイド溝６０が設けられている。屈曲部４４を起点とする各円弧状ガイド溝６０は、ケース１２におけるビスボス２８、２９とピン台２６との間を通り、かつスリット５０の後端よりも前側で右側壁１２Ａに最も近接する点Ｐを通り、該スリット５０の後端近傍の左方が終端とされている。すなわち、円弧状ガイド溝６０は、平面視でケース１２の外方に凸の円弧形状に形成されている。
【００９１】
そして、上下の円弧状ガイド溝６０は、それぞれ挿入されたガイドピン３２及びガイドピン３４の双方を、その長手方向に沿って案内する構成である。これにより、ドア３０は、ガイドピン３２が円弧状ガイド溝６０の前端に位置すると共にガイドピン３４が円弧状ガイド溝６０の中間部に位置した状態で、一端部がビスボス２８に当接すると共に他端部がビスボス２９から連続する内壁６２近傍に位置し、開口２０を内側から閉塞する構成である（図９参照）。内壁６２は、上下一対の内壁の接合により構成され、右側壁１２Ａと略平行に設けられ、その後端が閉塞位置に位置するドア３０の操作突起３６の直前に位置するように右側壁１２Ａに連続している。
【００９２】
また、ドア３０は、ガイドピン３２、３４においてそれぞれ円弧状ガイド溝６０によって案内されて、該円弧中心周りに回転（公転）しながら後方へ移動するようになっている。そして、ドア３０は、ガイドピン３２が円弧状ガイド溝６０の中間部に位置すると共にガイドピン３４が円弧状ガイド溝６０の後端に位置した状態で、右側壁１２Ａと略平行に並ぶ開放位置に位置し、開口２０を開放する構成である（図１０参照）。
【００９３】
本変形例に係る構成では、ドア３０の後端すなわち圧縮コイルスプリング４６の付勢力が作用する芯部材５２のピボット結合部位は、その移動軌跡が直線とはならないが、開口２０の開閉の度に円弧状ガイド溝６０における右側壁１２Ａに最も近接する点Ｐ（ドア３０の移動軌跡の右方向における極大値）を通るため、換言すれば、矢印Ａ方向と平行な接線を有する点Ｐを通るため、開口２０の開閉に伴う左右方向の変位が小さく抑えられている。このため、このドア３０を付勢する圧縮コイルスプリング４６は、その軸線と交差する方向の変形が抑制され、ドア３０に矢印Ａ方向に交差する方向の力が作用することが防止される。これにより、ドア３０の作動が安定する。また、本変形例に係る構成の他の効果については、上記の実施の形態と全く同様である。
【００９４】
また、上記の実施の形態及び変形例では、ドア３０を案内するガイド手段またはカムレールとしての第１ガイド溝４０及び第２ガイド溝４２、または円弧状ガイド溝６０を備えた構成としたが、本発明はこれに限定されず、例えば、上記各ガイド溝に代えて、天板１６Ｂまたは底板１８Ｂから連続的または断続的に立設されたリブ（壁部）を設けた構成としても良い。また、このガイド手段は、ガイドピン３２、３４に係合してドア３０を案内する構成には限定されず、例えば、ドア３０の前端や後端に係合して該ドア３０を案内しても良い。これらの場合、開口２０の閉塞時と開放時とでドア３０の移動経路（軌跡）が異なっても良い。
【００９５】
さらに、上記の実施の形態及び変形例では、圧縮コイルスプリング４６に芯部材５２を挿通した好ましい構成としたが、本発明はこれに限定されず、例えば、芯部材５２を設けない構成としても良く、また芯部材５２に代えて圧縮コイルスプリング４６を外側から覆って座屈を阻止する管状部材を設けても良い。また、芯部材５２は、ドア３０にピボット結合される構成には限定されず、例えば、ケース１２に固定されると共に、ドア３０の切欠部３８に挿通されて該ドア３０の移動に干渉しないように構成されても良い。
【００９６】
さらにまた、上記の実施の形態及び変形例では、ドア３０の操作突起３６が右側壁１２Ａに設けられたスリット５０から露出する構成としたが、本発明はこれに限定されず、例えば、ドア３０の前端外側に操作突起３６を設け、ドライブ装置に水平方向の揺動可能に支持された係合部材が操作突起３６に係合しつつ揺動して、開口２０の開放過程で該係合状態を維持する構成としても良い。この構成では、スリット５０及びスリットカバー５６を不要とすることができる。また例えば、操作突起３８を底板１８Ｂに設けたスリット等から露出させることも可能である。
【００９７】
また、上記の実施の形態及び変形例では、スリット５０が右側壁１２Ａの上下方向中間部に設けられた構成としたが、本発明はこれに限定されず、例えは、スリット５０は、右側壁１２Ａを構成する周壁１６Ａまたは周壁１８Ａに設けられても良く、底板１８Ｂに設けられても良い。但し、ドア３０のスムースな作動を担保するため、スリット５０（移動力が作用する操作突起３６）と付勢力を付与する圧縮コイルスプリング４６とは配置される高さ（圧縮コイルスプリング４６を並列に複数設けた場合は、平均高さ）が一致することが望ましい。
【００９８】
さらに、上記の実施の形態及び変形例では、リーダ部材としてリーダピン２４を備えた構成としたが、本発明はこれに限定されず、リーダ部材は、ドア３０と別部材でかつ磁気テープＴの不使用時に該ドア３０によって開口２０が閉塞されるケース１２内に収容されれば足り、如何なる形状やドライブ装置による引き出し構造等を採用しても良い。
【００９９】
また、上記の実施の形態及び変形例では、記録テープとして磁気テープＴを用いた構成としたが、本発明はこれに限定されず、記録テープは情報の記録及び記録した情報の再生が可能な長尺テープ状の情報記録再生媒体として把握されるものであれば足り、本発明に係る記録テープカートリッジが如何なる記録再生方式の記録テープにも適用可能であることは言うまでもない。
【０１００】
【発明の効果】
以上説明したように、本発明に係る記録テープカートリッジは、遮蔽部材が開口を確実に開閉する機能を維持しつつ、ドライブ装置の小型化を図ることができるという優れた効果を有する。
【図面の簡単な説明】
【図１】本発明の実施の形態に係る記録テープカートリッジの全体構成を示す分解斜視図である。
【図２】本発明の実施の形態に係る記録テープカートリッジを構成する開口のドアによる閉塞状態を示す斜視図である。
【図３】本発明の実施の形態に係る記録テープカートリッジを構成する開口の開放または閉塞途中を示す斜視図である。
【図４】本発明の実施の形態に係る記録テープカートリッジを構成する開口の開放状態を示す斜視図である。
【図５】本発明の実施の形態に係る記録テープカートリッジを構成する開口のドアによる閉塞状態を示す上ケースを取り除いて見た平面図である。
【図６】本発明の実施の形態に係る記録テープカートリッジを構成する開口の開放または閉塞途中を示す上ケースを取り除いて見た平面図である。
【図７】本発明の実施の形態に係る記録テープカートリッジを構成する開口の開放状態を示す上ケースを取り除いて見た平面図である。
【図８】本発明の実施の形態に係る記録テープカートリッジを構成する開口の開放過程を示す上ケースを取り除いて見た図であって、（Ａ）は開口の閉塞状態の斜視図、（Ｂ）は開口の開放または閉塞途中の斜視図、（Ｃ）は開口の開放状態の斜視図である。
【図９】本発明の実施の形態の変形例に係る記録テープカートリッジを構成する開口のドアによる閉塞状態を示す上ケースを取り除いて見た平面図である。
【図１０】本発明の実施の形態の変形例に係る記録テープカートリッジを構成する開口の開放状態を示す上ケースを取り除いて見た平面図である。
【図１１】従来の記録テープカートリッジの全体構成を示す斜視図である。
【図１２】従来の記録テープカートリッジの全体構成を示す斜視図である。
【図１３】従来の記録テープカートリッジの全体構成を示す斜視図である。
【符号の説明】
１０    記録テープカートリッジ
１２    ケース
１２Ａ  右側壁（装填方向に沿う側壁）
１４    リール
２０    開口
２４    リーダピン（リーダ部材）
３０    ドア（遮蔽部材）
３６    操作部
４０    第１ガイド溝（ガイド手段、カムレール）
４２    第２ガイド溝（ガイド手段、カムレール）
４６    圧縮コイルスプリング（圧縮コイルばね）
５０    スリット（窓部）
５２    芯部材
６０    円弧状ガイド溝（ガイド手段、カムレール）
Ｔ    磁気テープ（記録テープ）
【図１】
2005025815.tif 000003
【図２】
2005025815.tif 000004
【図３】
2005025815.tif 000005
【図４】
2005025815.tif 000006
【図５】
2005025815.tif 000007
【図６】
2005025815.tif 000008
【図７】
2005025815.tif 000009
【図８】
2005025815.tif 000010
【図９】
2005025815.tif 000011
【図１０】
2005025815.tif 000012
【図１１】
2005025815.tif 000013
【図１２】
2005025815.tif 000014
【図１３】
2005025815.tif 000015